(57)【要約】【課題】簡易構造で動作性に優れ、且つコスト安に製造可能なカバー体を具備する工作機械を提供する。【解決手段】刃物台移動領域開放部８を閉塞する刃物台移動領域一側閉塞カバー部９を、刃物台３の水平移動方向に伸縮自在な構成とすると共に刃物台３に対して対向配設し、付勢手段10により伸長して刃物台３に相対摺動自在に押接して刃物台移動領域開放部８を閉塞するとともに、刃物台３の移動により伸縮動作して、刃物台移動領域開放部８の閉塞状態を保持するように構成し、且つ、刃物台３と非連結状態に設けて、刃物台３が刃物台移動領域一側閉塞カバー部９に対して相対的に摺動して、刃物台移動領域開放部８の閉塞状態を保持する工作機械。【選択図】図１
2018034288.tif 000002
【特許請求の範囲】
【請求項１】
コラムと、このコラムに上下方向移動自在に設けられたクロスレールと、このクロスレールに水平方向移動自在に設けられた刃物台と、この刃物台に設けられた工具により加工されるワークを回転させる回転テーブルと、この回転テーブルが設けられる加工処理室の正面側開放部と天井側開放部とを開閉自在に閉塞する開放部閉塞カバー体とで構成され、ワーク加工時は、前記開放部閉塞カバー体で前記正面側開放部と前記天井側開放部とを閉塞してクーラント及び切削屑の外部飛散を防止しながら加工処理が行われるように構成されている工作機械において、前記開放部閉塞カバー体は、前記天井側開放部における前記刃物台の移動領域となる刃物台移動領域開放部を開閉自在に閉塞する刃物台移動領域一側閉塞カバー部を有し、この刃物台移動領域一側閉塞カバー部は、前記刃物台の水平移動方向に伸縮自在な構成とされるとともに、前記刃物台の前記水平移動方向一側に該刃物台に対して対向配設された構成とし、前記ワーク加工時は、付勢手段により伸長して先端部が前記刃物台に対して相対摺動可能に押接して前記刃物台移動領域開放部を閉塞するとともに、前記刃物台の前記水平移動方向一側への移動による該刃物台の押動により縮退し、前記水平移動方向一側と反対側の水平移動方向他側への移動に追従して伸長して、前記刃物台移動領域開放部の閉塞状態を保持するように構成され、且つ、前記刃物台と非連結状態に設けられて、前記クロスレールの上下移動により前記刃物台が上下移動しても、前記刃物台が該刃物台移動領域一側閉塞カバー部に対して摺動して、前記刃物台移動領域開放部の閉塞状態を保持するように構成されていることを特徴する工作機械。
【請求項２】
前記刃物台移動領域一側閉塞カバー部は、前記クロスレール及び前記刃物台と非連結状態に設けられ、先端部が前記刃物台に相対摺動可能に押接するとともに、側縁部が前記クロスレールに相対摺動可能に接触する構成とされて、前記クロスレールの上下移動に伴い前記刃物台が上下移動する際、前記クロスレール及び前記刃物台が該刃物台移動領域一側閉塞カバー部に対して摺動移動して、前記刃物台移動領域開放部の閉塞状態を保持しながら上下移動するように構成されていることを特徴する請求項１記載の工作機械。
【請求項３】
前記開放部閉塞カバー体は、前記刃物台移動領域一側閉塞カバー部とともに前記刃物台移動領域開放部を閉塞する刃物台移動領域他側閉塞カバー部を有し、この刃物台移動領域他側閉塞カバー部は、前記刃物台の前記水平移動方向他側に設けられ、前記刃物台が前記水平移動方向一側に移動し前記刃物台移動領域一側閉塞カバー部が縮退した際に形成される刃物台移動領域開放部を閉塞するように構成されていることを特徴とする請求項１，２のいずれか１項に記載の工作機械。
【請求項４】
前記開放部閉塞カバー体は、前記正面側開放部を開閉自在に閉塞する正面側閉塞カバー部と、前記天井側開放部の前記刃物台の移動により開放部領域が変化する前記刃物台移動領域開放部を開閉自在に閉塞する前記刃物台移動領域一側閉塞カバー部と、この刃物台移動領域一側閉塞カバー部とともに前記刃物台移動領域開放部を閉塞する刃物台移動領域他側閉塞カバー部と、前記天井側開放部の前記刃物台の移動領域でない刃物台非移動領域開放部を開閉自在に閉塞する刃物台非移動領域閉塞カバー部とで構成されることを特徴とする請求項１〜３のいずれか１項に記載の工作機械。
【請求項５】
前記付勢手段には、減圧回路が設けられていて、前記刃物台移動領域一側閉塞カバー部の伸長付勢力が調節自在な構成とされていることを特徴とする請求項１〜４のいずれか１項に記載の工作機械。
【発明の詳細な説明】
【技術分野】
【０００１】
本発明は、加工時にクロスレールの上下動作を伴う立旋盤、立形ターニングセンターを代表とする工作機械に関するものである。
【背景技術】
【０００２】
従来、この種の工作機械には、ワーク加工時のクーラントや切削屑の外部飛散を防止するために、回転テーブルの周囲の加工空間を包囲する全閉型のカバー体が備えられているものがある。
【０００３】
また、この種の工作機械は、刃物台がクロスレールに沿って水平方向に移動し、更にこの刃物台とクロスレールとがコラムに沿って上下方向に移動する構成のため、カバー体で包囲する加工空間の包囲領域が変化する構成となっている。そのため、カバー体は、例えば、特許文献１に示すような、加工空間の包囲領域が変化しても、包囲領域の密閉状態を維持するように構成されている。
【０００４】
この特許文献１は、工作機械のベッド上の加工空間を覆うカバー構造に係るもので、刃物台の左右に、前面が刃物台の前面と同一面となる縦板部と、下面が刃物台の下面と同一面となる下板部とからなる断面Ｌ字状の天井カバーを夫々設けて、ドア及び前カバーの上端をそれぞれ後方へ折曲させて天井カバーの縦板部に当接させ、更に、天井カバーの少なくとも一方を、刃物台と隣接する第１のスライド位置と、刃物台から所定距離離れる第２のスライド位置との間でクロスレールに沿ってスライド可能に設け、このスライド可能な天井カバーと刃物台との間に、この天井カバーを第１、第２のスライド位置へ任意にスライドさせる駆動機構を設けて、天井カバーの下板部によって刃物台の左右を確実に閉塞できるとともに、クロスレールが上下方向へ移動しても天井カバーの縦板部とドアとの当接が維持され、加工空間の上方を密閉することができ、更に、天井カバーをスライドさせることで、ワーク搬入経路を広く確保でき、天井カバーと干渉させることなくワークの搬入出が可能となる構成とされているものである。
【先行技術文献】
【特許文献】
【０００５】
【特許文献１】特許第５４４７９３１号公報
【発明の概要】
【発明が解決しようとする課題】
【０００６】
しかしながら、この特許文献１に示されるようなカバー構造を有する工作機械は、刃物台の左右に設けたＬ字状の天井カバーのうち、固定される側の天井カバーは簡易な構造であるが、刃物台と切り離す構成とされる側の天井カバーは、構造が複雑であるため動作不具合（故障）が生じ易く、また、剛性を持たせるために強固なガイド部を必要とする構造となるため、製造コストも高くなってしまう問題がある。
【０００７】
本発明は、このような現状に鑑みなされたもので、簡易構造で動作性に優れ、且つコスト安に製造可能なカバー体を具備する工作機械を提供することを目的とする。
【課題を解決するための手段】
【０００８】
添付図面を参照して本発明の要旨を説明する。
【０００９】
コラム１と、このコラム１に上下方向移動自在に設けられたクロスレール２と、このクロスレール２に水平方向移動自在に設けられた刃物台３と、この刃物台３に設けられた工具により加工されるワークを回転させる回転テーブル４と、この回転テーブル４が設けられる加工処理室５の正面側開放部６と天井側開放部７とを開閉自在に閉塞する開放部閉塞カバー体とで構成され、ワーク加工時は、前記開放部閉塞カバー体で前記正面側開放部６と前記天井側開放部７とを閉塞してクーラント及び切削屑の外部飛散を防止しながら加工処理が行われるように構成されている工作機械において、前記開放部閉塞カバー体は、前記天井側開放部７における前記刃物台３の移動領域となる刃物台移動領域開放部８を開閉自在に閉塞する刃物台移動領域一側閉塞カバー部９を有し、この刃物台移動領域一側閉塞カバー部９は、前記刃物台３の水平移動方向に伸縮自在な構成とされるとともに、前記刃物台３の前記水平移動方向一側に該刃物台３に対して対向配設された構成とし、前記ワーク加工時は、付勢手段10により伸長して先端部が前記刃物台３に対して相対摺動可能に押接して前記刃物台移動領域開放部８を閉塞するとともに、前記刃物台３の前記水平移動方向一側への移動による該刃物台３の押動により縮退し、前記水平移動方向一側と反対側の水平移動方向他側への移動に追従して伸長して、前記刃物台移動領域開放部８の閉塞状態を保持するように構成され、且つ、前記刃物台３と非連結状態に設けられて、前記クロスレール２の上下移動により前記刃物台３が上下移動しても、前記刃物台３が該刃物台移動領域一側閉塞カバー部９に対して摺動して、前記刃物台移動領域開放部８の閉塞状態を保持するように構成されていることを特徴する工作機械に係るものである。
【００１０】
また、前記刃物台移動領域一側閉塞カバー部９は、前記クロスレール２及び前記刃物台３と非連結状態に設けられ、先端部が前記刃物台３に相対摺動可能に押接するとともに、側縁部が前記クロスレール２に相対摺動可能に接触する構成とされて、前記クロスレール２の上下移動に伴い前記刃物台３が上下移動する際、前記クロスレール２及び前記刃物台３が該刃物台移動領域一側閉塞カバー部９に対して摺動移動して、前記刃物台移動領域開放部８の閉塞状態を保持しながら上下移動するように構成されていることを特徴する請求項１記載の工作機械に係るものである。
【００１１】
また、前記開放部閉塞カバー体は、前記刃物台移動領域一側閉塞カバー部９とともに前記刃物台移動領域開放部８を閉塞する刃物台移動領域他側閉塞カバー部11を有し、この刃物台移動領域他側閉塞カバー部11は、前記刃物台３の前記水平移動方向他側に設けられ、前記刃物台３が前記水平移動方向一側に移動し前記刃物台移動領域一側閉塞カバー部９が縮退した際に形成される刃物台移動領域開放部８を閉塞するように構成されていることを特徴とする請求項１，２のいずれか１項に記載の工作機械に係るものである。
【００１２】
また、前記開放部閉塞カバー体は、前記正面側開放部６を開閉自在に閉塞する正面側閉塞カバー部12と、前記天井側開放部７の前記刃物台３の移動により開放部領域が変化する前記刃物台移動領域開放部８を開閉自在に閉塞する前記刃物台移動領域一側閉塞カバー部９と、この刃物台移動領域一側閉塞カバー部９とともに前記刃物台移動領域開放部８を閉塞する刃物台移動領域他側閉塞カバー部11と、前記天井側開放部７の前記刃物台３の移動領域でない刃物台非移動領域開放部13を開閉自在に閉塞する刃物台非移動領域閉塞カバー部14とで構成されることを特徴とする請求項１〜３のいずれか１項に記載の工作機械に係るものである。
【００１３】
また、前記付勢手段10には、減圧回路が設けられていて、前記刃物台移動領域一側閉塞カバー部９の伸長付勢力が調節自在な構成とされていることを特徴とする請求項１〜４のいずれか１項に記載の工作機械に係るものである。
【発明の効果】
【００１４】
本発明は上述のように構成したから、クロスレール及び刃物台が上下動する工作機械において、ワーク加工時のクーラントや切削屑の外部飛散を防止する開放部閉塞カバー体を、従来のＬ字カバー（本発明の刃物台移動領域一側閉塞カバー部に相当するカバー）に比べて、簡易構成にして容易に設計実現可能とすることができ、この開放部閉塞カバー体の動作性、操作性が向上し、且つ、この開放部閉塞カバー体をコスト安に製造でき、これにより、簡易構造で動作性に優れ、且つコスト安に製造可能なカバー体を具備する実用性に優れた工作機械となる。
【図面の簡単な説明】
【００１５】
【図１】本実施例（刃物台待機位置で開放部全閉状態）を示す説明斜視図である。
【図２】図１に対応する本実施例の説明平面図である。
【図３】本実施例（刃物台待機位置で開放部全開状態）を示す説明斜視図である。
【図４】図３に対応する本実施例の説明平面図である。
【図５】本実施例（刃物台加工位置で開放部全閉状態）を示す説明斜視図である。
【図６】図５に対応する本実施例の説明平面図である。
【図７】本実施例（刃物台待機位置且つクロスレール及び刃物台が下方移動位置で開放部全閉状態）を示す説明斜視図である。
【図８】本実施例を示す説明側面図である。
【図９】本実施例の刃物台移動領域一側閉塞カバー部（伸長状態）を示す説明斜視図である。
【図１０】本実施例の刃物台移動領域一側閉塞カバー部（縮退状態）を示す説明斜視図である。
【発明を実施するための形態】
【００１６】
好適と考える本発明の実施形態を、図面に基づいて本発明の作用を示して簡単に説明する。
【００１７】
本発明の刃物台移動領域一側閉塞カバー部９は、加工処理室５、言い換えると回転テーブル４を包囲する加工空間の天井側開放部７の一部、具体的には、この天井側開放部７の奥側に位置する刃物台３がクロスレール２に沿って移動する刃物台移動領域開放部８を、刃物台３の移動に伴って伸縮動作することで閉塞状態を保持する。
【００１８】
言い換えると、刃物台移動領域一側閉塞カバー部９は、この刃物台移動領域開放部８を挟んで刃物台３に対向状態に設けられており、刃物台３側に向かって伸長動作し、この伸長した刃物台移動領域一側閉塞カバー部９の先端部が刃物台３に押接することでこの刃物台移動領域開放部８を閉塞状態にする。
【００１９】
また、この刃物台移動領域一側閉塞カバー部９は、付勢手段10により伸長動作する。即ち、本発明の刃物台移動領域一側閉塞カバー部９は、少なくともワーク加工時においては、この付勢手段10による伸長付勢により常に伸長しようとする力が作用して、刃物台３を押圧するようにこの刃物台３に当接し、刃物台３が水平移動方向一側（刃物台移動領域一側閉塞カバー部９が設けられている側）と反対側（水平移動方向他側）に移動した場合、この伸長付勢により刃物台３に対して押接状態を維持して伸長動作して、刃物台移動領域開放部８の閉塞状態を保持する。
【００２０】
また、本発明の刃物台移動領域一側閉塞カバー部９は、刃物台３の押動により縮退動作する。即ち、前述した付勢手段10による伸長付勢は、刃物台３の移動を妨げない小さめの付勢力に設定され、刃物台３がこの付勢力に抗して水平移動方向一側（刃物台移動領域一側閉塞カバー部９が設けられている側）に移動することで刃物台移動領域一側閉塞カバー部９が縮退動作し、この縮退動作の際、刃物台移動領域一側閉塞カバー部９は刃物台３と当接（押接）状態にあり、よって、刃物台移動領域開放部８は縮退動作時も閉塞状態が保持される。
【００２１】
また、本発明の刃物台移動領域一側閉塞カバー部９は、刃物台３と非連結状態に設けられている。即ち、刃物台３はクロスレール２に設けられていて、このクロスレール２の上下動に伴って上下動作する構成とされているが、非連結状態の刃物台移動領域一側閉塞カバー部９、言い換えると刃物台３と別体で構成されている刃物台移動領域一側閉塞カバー部９は、このクロスレール２及び刃物台３の上下動作に影響されず、刃物台３が上下動する際は、この刃物台３が刃物台移動領域一側閉塞カバー部９に対して摺動する。言い換えると、刃物台３に押接している刃物台移動領域一側閉塞カバー部９の先端部が、刃物台３の上下動に対して相対的に上下方向に摺動する。これにより、刃物台３が上下動しても刃物台移動領域一側閉塞カバー部９は、上下動することなく刃物台移動領域開放部８の閉塞状態を保持する。
【００２２】
このように、本発明は、刃物台移動領域一側閉塞カバー部９を、刃物台３の水平移動方向に伸縮自在な構成とするとともに、刃物台３の水平移動方向一側に該刃物台３に対して対向配設し、付勢手段10を設けて、この付勢手段10により刃物台移動領域一側閉塞カバー部９が伸長する構成とするとともに、伸長状態の刃物台移動領域一側閉塞カバー部９が刃物台３の押動により縮退する構成とし、且つ、この刃物台移動領域一側閉塞カバー部９を刃物台３と非連結状態に設ける構成とすることで、クロスレール２及び刃物台３が上下動する工作機械において、ワーク加工時のクーラントや切削屑の外部飛散を防止する開放部閉塞カバー体を、従来のＬ字カバー（本発明の刃物台移動領域一側閉塞カバー部９に相当するカバー）に比べて、簡易構成にして容易に設計実現可能とすることができ、この開放部閉塞カバー体の動作性、操作性が向上し、且つ、この開放部閉塞カバー体をコスト安に製造できる。
【００２３】
これにより、本発明は、簡易構造で動作性に優れ、且つコスト安に製造可能なカバー体を具備する実用性に優れた工作機械となる。
【実施例】
【００２４】
本発明の具体的な実施例について図面に基づいて説明する。
【００２５】
本実施例は、コラム１と、このコラム１に上下方向移動自在に設けられたクロスレール２と、このクロスレール２に水平方向移動自在に設けられた刃物台３と、この刃物台３に設けられた工具により加工されるワークを回転させる回転テーブル４と、この回転テーブル４が設けられる加工処理室５の正面側開放部６と天井側開放部７とを開閉自在に閉塞する開放部閉塞カバー体とで構成され、ワーク加工時は、この開放部閉塞カバー体で正面側開放部６と天井側開放部７とを閉塞してクーラントや切削屑の外部飛散を防止しながら加工処理が行われるように構成されている工作機械である。
【００２６】
即ち、本実施例は、刃物台３が水平方向に移動するだけでなく、クロスレール２及び刃物台３も上下方向に移動するように構成されている工作機械であり、これにより、刃物台３の水平方向の移動だけではなく、クロスレール２及び刃物台３の上下方向の移動によって、加工処理室５における回転テーブル４を包囲する加工空間の状態が変化し、また、この加工空間の状態が変化しても、開放部閉塞カバー体が正面側開放部６及び天井側開放部７の閉塞状態を保持し、クーラントや切削屑の外部飛散を防止するように構成されているものである。
【００２７】
以下、本実施例の開放部閉塞カバー体について詳細に説明する。
【００２８】
本実施例の開放部閉塞カバー体は、正面側開放部６を開閉自在に閉塞する正面側閉塞カバー部12と、天井側開放部７の刃物台３の移動により開放部領域が変化する刃物台移動領域開放部８を開閉自在に閉塞する刃物台移動領域一側閉塞カバー部９と、この刃物台移動領域一側閉塞カバー部９とともに刃物台移動領域開放部８を閉塞する刃物台移動領域他側閉塞カバー部11と、天井側開放部７の刃物台３の移動領域でない刃物台非移動領域開放部13を開閉自在に閉塞する刃物台非移動領域閉塞カバー部14とで構成されている。
【００２９】
具体的には、本実施例の正面側閉塞カバー部12は、二枚の立直板状部材で構成され、装置前面に左右方向にスライド自在に設けられている。
【００３０】
より具体的には、正面側閉塞カバー部12は、互いに接離移動して正面側開放部６を開放閉塞する構成とされている。
【００３１】
また、本実施例の刃物台非移動領域閉塞カバー部14は、前述した正面側閉塞カバー部12が開閉自在に閉塞する正面側開放部６と連接状態にある天井側開放部７の刃物台３の移動領域でない刃物台非移動領域開放部13を開閉自在に閉塞するものであり、二枚の平板状部材で構成され、装置前側に左右方向にスライド自在に設けられている。
【００３２】
具体的には、本実施例の刃物台非移動領域閉塞カバー部14は、前述した正面側閉塞カバー部12と一体形成されており、よって、正面側閉塞カバー部12の移動に連動して互いに接離移動して刃物台非移動領域開放部13を開放閉塞する構成とされている。
【００３３】
即ち、本実施例は、正面側閉塞カバー部12と刃物台非移動領域閉塞カバー部14とを一体成形しＬ字状の正面ドア部15として形成した構成とし、この正面ドア部15のスライド開閉操作により正面側開放部６及び刃物台非移動領域開放部13を同時に開閉自在に閉塞する構成とされている。
【００３４】
また、本実施例の刃物台移動領域一側閉塞カバー部９は、刃物台３の水平移動方向に伸縮自在な構成とされるとともに、刃物台３の水平移動方向一側（本実施例では正面視左側）に該刃物台３に対して対向配設された構成とし、少なくともワーク加工時は、付勢手段10により伸長して先端部が刃物台３に相対摺動自在に押接状態となって刃物台移動領域開放部８（具体的には、刃物台移動領域開放部８における刃物台３の左側に形成される刃物台移動領域左側開放部８Ａ）を閉塞するとともに、刃物台３の水平移動方向一側への移動による該刃物台３の押動により縮退し、水平移動方向一側と反対側の水平移動方向他側（本実施例では正面視右側）への移動に追従して伸長して、刃物台移動領域開放部８の閉塞状態を保持するように構成され、且つ、刃物台３と非連結状態に設けられて、クロスレール２の上下移動により刃物台３が上下移動しても、刃物台３が刃物台移動領域一側閉塞カバー部９に対して摺動して、刃物台移動領域開放部８の閉塞状態を保持するように構成されている。
【００３５】
具体的には、本実施例の刃物台移動領域一側閉塞カバー部９は、刃物台３及びクロスレール２に対して非連結状態に設けられており、先端部が刃物台３に相対摺動自在に押接するとともに、側縁部がクロスレール２に相対摺動自在に接触する構成とされて、クロスレール２の上下移動に伴い刃物台３が上下移動しても、クロスレール２及び刃物台３がこの刃物台移動領域一側閉塞カバー部９に対して摺動して、刃物台移動領域開放部８の閉塞状態を保持するように構成されている。
【００３６】
より具体的には、本実施例の刃物台移動領域一側閉塞カバー部９は、入れ子状態に設けられた複数のカバー部材16と、このカバー部材16に伸長付勢を付与する付勢手段10とで構成されている。
【００３７】
更に具体的には、本実施例の刃物台移動領域一側閉塞カバー部９は、工作機械本体に固定状態に設けられる第一カバー部材16Ａと、この第一カバー部材16Ａに対してスライド重合自在に設けられる第二カバー部材16Ｂと、この第二カバー部材16Ｂに対してスライド重合自在に設けられる第三カバー部材16Ｃとの三枚のカバー部材16と、第二カバー部材16Ｂに伸長付勢を付与する第一の付勢手段10と、第三カバー部材16Ｃに伸長付勢を付与する第二の付勢手段10との二体の付勢手段10で構成されている。尚、本実施例では、各付勢手段10にエアーシリンダ装置10を用いた構成とし、以下、付勢手段10をエアーシリンダ装置10と称す。
【００３８】
より詳細には、第一カバー部材16Ａ及び第二カバー部材16Ｂには、スライドレール部17と、エアーシリンダ装置10、具体的には、エアーシリンダ装置10のシリンダロッド10Ａが連結されるシリンダ連結部18が設けられ、また、第二カバー部材16Ｂには、更に第一のエアーシリンダ装置10が設けられ、また、第三カバー部材16Ｃには、第二のエアーシリンダ装置10が設けられていて、第一カバー部材16Ａに設けられたスライドレール部17に第二カバー部材16Ｂがスライド自在に設けられ、また、この第二カバー部材16Ｂに設けられたスライドレール部17に第三カバー部材16Ｃがスライド自在に設けられた構成とされている。
【００３９】
また、第二カバー部材16Ｂに設けられた第一のエアーシリンダ装置10は、シリンダロッド10Ａが第一カバー部材16Ａに設けられたシリンダ連結部18と連結されており、第二カバー部材16Ｂは、この第一のエアーシリンダ装置10の作動により伸長付勢が付与されて第一カバー部材16Ａに対して伸長動作する構成とされ、また、第三カバー部材16Ｃに設けられた第二のエアーシリンダ装置10は、シリンダロッド10Ａが第二カバー部材16Ｂに設けられたシリンダ連結部18と連結されており、第三カバー部材16Ｃは、この第二のエアーシリンダ装置10の作動により伸長付勢が付与されて第二カバー部材16Ｂに対して伸長動作する構成とされている。
【００４０】
また、各カバー部材16のクロスレール側の側縁部には、クロスレール２との間に生じる隙間を埋める隙間埋め部材19が設けられている。
【００４１】
具体的には、この隙間埋め部材19は、ブラシなどの柔軟性を有する部材で形成され、クロスレール２（具体的には、クロスレールカバー）に変形自在に当接する構成とされ、この刃物台移動領域一側閉塞カバー部９とクロスレール２との間の隙間を埋めて、この隙間からのクーラントや切削屑の外部飛散を防止するとともに、クロスレール２がこの刃物台移動領域一側閉塞カバー部９に対してスムーズに摺動できる構成とされている。
【００４２】
尚、刃物台３に対して相対摺動する刃物台移動領域一側閉塞カバー部９の先端部、具体的には第三カバー部材16Ｃの先端部においては、側縁部同様、スムーズな摺動動作を可能とするための摺動促進部材（ローラーや同様のブラシ状部材など）を設けた構成としても良い。
【００４３】
また、本実施例の各エアーシリンダ装置10には、減圧回路が設けられていて、この刃物台移動領域一側閉塞カバー部９に作用する（生じる）伸長付勢力を自在に調節できるように構成されている。
【００４４】
即ち、前記伸長付勢力を、刃物台３を押動し得えない付勢力で、且つ、刃物台３がこの刃物台移動領域一側閉塞カバー部９を押動する際、刃物台３の押動移動動作がほとんど負荷を受けることなくスムーズに押動移動できる程度の付勢力に設定することができる、若しくは、刃物台３がこの刃物台移動領域一側閉塞カバー部９を押動する方向と反対方向に移動する際、即ち、刃物台３がこの刃物台移動領域一側閉塞カバー部９の伸長方向に移動する際は、刃物台３を押動し得えない付勢力に設定し、刃物台３がこの刃物台移動領域一側閉塞カバー部９を押動する方向に移動する際、即ち、刃物台３がこの刃物台移動領域一側閉塞カバー部９の縮退方向に移動する際は、エアーシリンダ装置10へのエアー供給を停止し付勢力を生じないようにする（即ち付勢力ゼロに設定する）ことができ、刃物台３がこの刃物台移動領域一側閉塞カバー部９の伸長付勢力に影響されない構成とされている。
【００４５】
また、本実施例の刃物台移動領域一側閉塞カバー部９は、ワーク加工時は刃物台３の押動により縮退動作する構成とされているが、この刃物台移動領域一側閉塞カバー部９の縮退動作は、エアーシリンダ装置10の作動により刃物台３に押動されなくても縮退動作する構成とされており、例えば、大型のワークをクレーンなどで吊り上げた状態で回転テーブル４上にセットする際も、天井側開放部７を容易に全開状態にすることができる構成とされている。
【００４６】
尚、本実施例の刃物台移動領域一側閉塞カバー部９は、三枚のカバー部材16で構成されているが、カバー部材16の枚数はこれに限定されるものではない。また、付勢手段10に関しても、本実施例で示したエアーシリンダ装置10に限定されるものではなく、カバー部材16に伸長付勢を付与し得るものであれば、適宜採用可能である。また、図中符号20は、この刃物台移動領域一側閉塞カバー部９を支持する支持脚部20である。
【００４７】
また、この刃物台移動領域一側閉塞カバー部９とともに刃物台移動領域開放部８を閉塞する刃物台移動領域他側閉塞カバー部11は、刃物台３の刃物台移動領域一側閉塞カバー部９が設けられている側と反対側に設けられ、この刃物台３とともに移動し、この刃物台３が刃物台移動領域一側閉塞カバー部９を押動する方向に移動した際に形成される刃物台移動領域開放部８（具体的には、刃物台移動領域開放部８における刃物台３の右側に形成される刃物台移動領域右側開放部８Ｂ）を閉塞する構成とされている。
【００４８】
具体的には、本実施例の刃物台移動領域他側閉塞カバー部11は、底板部11Ａと立直板部11Ｂとで形成されるＬ字状に構成され、底板部11Ａが刃物台３の底部と面一状態となるようにして刃物台３に連接状態に設けられ、刃物台３の移動に追従して、この底板部11Ａが前記刃物台移動領域右側開放部８Ｂを閉塞するように構成されている。
【００４９】
このように、本実施例は、従来のＬ字カバー（本実施例の刃物台移動領域一側閉塞カバー部８に相当するカバー）で構成されるものに比べて、簡易構成にして容易に設計実現可能な開放部閉塞カバー体を具備するものであり、このような開放部閉塞カバー体を具備することで、開放部閉塞カバー体の動作性、操作性が向上し、且つ、この開放部閉塞カバー体をコスト安に製造することができる。
【００５０】
これにより、本実施例は、簡易構造で動作性に優れ、且つコスト安に製造可能なカバー体を具備する実用性に優れた工作機械となる。
【００５１】
尚、本発明は、本実施例に限られるものではなく、各構成要件の具体的構成は適宜設計し得るものである。
【符号の説明】
【００５２】
１  コラム
２  クロスレール
３  刃物台
４  回転テーブル
５  加工処理室
６  正面側開放部
７  天井側開放部
８  刃物台移動領域開放部
９  刃物台移動領域一側閉塞カバー部
10  付勢手段
11  刃物台移動領域他側閉塞カバー部
12  正面側閉塞カバー部
13  刃物台非移動領域開放部
14  刃物台非移動領域閉塞カバー部
【図１】
2018034288.tif 000003
【図２】
2018034288.tif 000004
【図３】
2018034288.tif 000005
【図４】
2018034288.tif 000006
【図５】
2018034288.tif 000007
【図６】
2018034288.tif 000008
【図７】
2018034288.tif 000009
【図８】
2018034288.tif 000010
【図９】
2018034288.tif 000011
【図１０】
2018034288.tif 000012